(57)【要約】【課題】  マナーモードへの変更のし忘れやマナーモードへの変更の煩わしさをなくし、自動的にマナーモードのオン／オフを切り換えることが可能な、携帯通信端末を提供する。【解決手段】  本発明の、基地局２００と無線通信可能な携帯通信端末は、携帯通信端末の姿勢を検出する姿勢検出部１２４と、姿勢検出部１２４に検出された姿勢に応じて当該携帯通信端末のマナーモードのオン／オフを自動的に切り換える設定切換部１３０と、を備えることを特徴としている。【選択図】    図１
2009130653.tif 000002
【特許請求の範囲】
【請求項１】
基地局と無線通信可能な携帯通信端末であって、
当該携帯通信端末の姿勢を検出する姿勢検出部と、
前記姿勢検出部によって検出された姿勢に応じてマナーモードのオン／オフを切り換える設定切換部と、
を備えることを特徴とする、携帯通信端末。
【請求項２】
前記設定切換部は、当該携帯通信端末の長手方向が垂直方向にあるときマナーモードをオンすることを特徴とする、請求項１に記載の携帯通信端末。
【請求項３】
前記設定切換部は、当該携帯通信端末の長手方向の鉛直線に対する傾きが３０°以内にあるとき、長手方向が垂直方向と判断することを特徴とする、請求項２に記載の携帯通信端末。
【請求項４】
前記姿勢検出部は、離隔して配置された複数の電極部と、前記複数の電極部によって囲われた領域に封入された液体金属とを有し、重力により落下した液体金属が、離隔した電極部同士を電気的に接続することで垂直方向の姿勢を検出することを特徴とする、請求項２または３に記載の携帯通信端末。
【請求項５】
当該携帯通信端末に加えられている圧力を検出する圧力検出部をさらに備え、
前記設定切換部は、前記姿勢検出部に検出された姿勢に加え、前記圧力検出部に検出された圧力に基づいてマナーモードのオン／オフを切り換えることを特徴とする、請求項１〜４のいずれか１項に記載の携帯通信端末。
【請求項６】
当該携帯通信端末に与えられている振動を検出する振動検出部をさらに備え、
前記設定切換部は、前記姿勢検出部に検出された姿勢に加え、前記振動検出部に検出された振動に基づいてマナーモードのオン／オフを切り換えることを特徴とする、請求項１〜５のいずれか１項に記載の携帯通信端末。
【請求項７】
前記設定切換部は、前記姿勢検出部に検出された姿勢に加え、当該携帯通信端末の使用状態に基づいてマナーモードのオン／オフを切り換えることを特徴とする、請求項１〜６のいずれか１項に記載の携帯通信端末。
【請求項８】
前記設定切換部は、さらに、当該携帯通信端末が所定の充電器に嵌着されていることを判断してマナーモードのオン／オフを切り換えることを特徴とする、請求項１〜７のいずれか１項に記載の携帯通信端末。
【請求項９】
前記設定切換部がマナーモードをオンする姿勢を任意に設定させる姿勢設定部をさらに備えることを特徴とする、請求項１〜８のいずれか１項に記載の携帯通信端末。
【請求項１０】
前記設定切換部によってマナーモードのオン／オフが切り換わったとき、ユーザにその旨報知する切換報知部をさらに備えることを特徴とする、請求項１〜９のいずれか１項に記載の携帯通信端末。
【請求項１１】
所定時間内の突発的な姿勢変更を無視する時間遅延部をさらに備えることを特徴とする、請求項１〜１０のいずれか１項に記載の携帯通信端末。
【発明の詳細な説明】
【技術分野】
【０００１】
本発明は、マナーモード機能を有する携帯通信端末に関する。
【背景技術】
【０００２】
近年、携帯電話やＰＨＳ（Personal Handy phone System）、ＰＤＡ（Personal Digital Assistant）に代表される携帯通信端末は、小型、軽量化が進み、その機能としても通話のみならず電子メール送受信機能や撮像機能といった様々なものが追加されている。従って、携帯通信端末の使い勝手がより向上し、ユーザは場所や状況に拘わらず常に携帯通信端末を所持するようになってきた。しかし、電車やバス等に乗車する場合、携帯通信端末の利用による着信音、操作音や通話の声が周囲の迷惑となってしまうので、そのような状況下においては着信音を抑制するマナーモードを設定する必要がある。
【０００３】
しかし、電車やバス等の乗降の度にマナーモードを手動でオン／オフするのは煩わしさを伴い、また、本来マナーモードを設定すべき場所で設定を忘れ、意図せず着信音が鳴ってしまうこともあった。
【０００４】
そこで、携帯通信端末をマナーモードに設定し忘れないよう、他の人からの着信に対応できない日時を事前に携帯通信端末へ設定し、設定の日時に達すれば自動的にマナーモードの設定／解除を行う技術が開示されている（例えば、特許文献１）。
【０００５】
また、電車やバス等に乗車して通勤する時間帯を携帯通信端末に設定すると、携帯通信端末が、その設定された時間帯に加速度センサから検知されたデータと、予め記憶された比較用データとを比較し、検知されたデータの相関がとれれば電車やバス等に乗車していると判断してマナーモードを設定する技術も開示されている（例えば、特許文献２）。
【０００６】
さらに、携帯通信端末を手動でマナーモードに設定しなくとも、携帯通信端末に設置された照度センサが周囲の明るさを測定し、その周囲の明るさに応じて携帯通信端末のマナーモードが自動的に設定／解除される技術も開示されている（例えば、特許文献３）。
【特許文献１】特開２００５−１８４３２７号公報
【特許文献２】特開２００５−１９２２０６号公報
【特許文献３】特開平１１−１６８７６９号公報
【発明の開示】
【発明が解決しようとする課題】
【０００７】
上述した、事前に携帯通信端末へ日時を設定する技術を用いると、携帯通信端末は、日々繰り返し実施される行動の時間帯になったとき自動的にマナーモードに切り換わる。しかし、突発的な会議の打ち合わせや、出張、外出の電車における移動等、設定された日時以外の時間帯では、マナーモードへの設定が必要な場面に遭遇しても、マナーモードへの切り換えが行われない。
【０００８】
また、上述した比較用データとの相関をとる技術を用いたとしても、突発的な出張等においては、比較すべきデータを準備することができないので、マナーモードに適切に移行しない場合が生じてしまう。
【０００９】
さらに、上述した周囲の明るさを測定する技術を用いると、ユーザは、携帯通信端末の周囲が暗くなることでマナーモードに移行するという設定ができる。しかし、携帯通信端末は利用と収納が繰り返されるので、太陽光の有無に拘わらず例えば鞄内では照度センサが暗いと判断してしまい、マナーモードへ変更する必要のない状態でもマナーモードへ切り換わってしまう。
【００１０】
本発明は、従来の技術が有する上記問題点に鑑みてなされたものであり、本発明の目的は、マナーモードへの変更のし忘れやマナーモードへの変更の煩わしさをなくし、自動的にマナーモードのオン／オフを切り換えることが可能な、携帯通信端末を提供することである。
【課題を解決するための手段】
【００１１】
上記課題を解決するにあたり、本発明のある観点によれば、基地局と無線通信可能な携帯通信端末であって、携帯通信端末の姿勢を検出する姿勢検出部と、姿勢検出部によって検出された姿勢に応じてマナーモードのオン／オフを切り換える設定切換部と、を備えることを特徴とする、携帯通信端末が提供される。
【００１２】
上記携帯通信端末は、姿勢を検出することでマナーモードのオン／オフを切り換えることができる。上記設定切換部を備えることで、ユーザが携帯通信端末を手動で設定しなくても、マナーモードが自動的に設定される。
【００１３】
設定切換部は、携帯通信端末の長手方向が垂直方向にあるときマナーモードをオンしてもよい。
【００１４】
上記携帯通信端末は、例えばワイシャツのポケットに携帯通信端末を入れると、ポケットに対して縦向き、即ち垂直に立った状態で保持され易いので、ユーザの操作入力を受けることなく自動的にマナーモードがオンになる。
【００１５】
設定切換部は、携帯通信端末の長手方向の鉛直線に対する傾きが３０°以内にあるとき、長手方向が垂直方向と判断してもよい。
【００１６】
このように垂直方向から許容する角度を設けることで、ワイシャツのポケットや鞄等の中で携帯通信端末が多少傾いた場合であっても自動的にマナーモードをオンに切り換え、またオン状態を維持することができる。
【００１７】
姿勢検出部は、離隔して配置された複数の電極部と、複数の電極部によって囲われた領域に封入された液体金属とを有し、重力により落下した液体金属が、離隔した電極部同士を電気的に接続することで垂直方向の姿勢を検出するとしてもよい。
【００１８】
かかる構成により携帯通信端末は、重力を利用して垂直方向の姿勢であるかを検出するので、効率よく垂直方向の姿勢を検出することができる。
【００１９】
携帯通信端末に加えられている圧力を検出する圧力検出部をさらに備え、設定切換部は、姿勢検出部に検出された姿勢に加え、圧力検出部に検出された圧力に基づいてマナーモードのオン／オフを切り換えてもよい。
【００２０】
例えばワイシャツやズボンのポケットに挿入された携帯通信端末には外部から圧力が加えられる。かかる圧力検出部の構成により、携帯通信端末の姿勢のみならず、その圧力も検出されるので、設定切換部は、ワイシャツやズボンのポケットに入っていることをより確実に判断することができる。
【００２１】
携帯通信端末に与えられている振動を検出する振動検出部をさらに備え、設定切換部は、姿勢検出部に検出された姿勢に加え、振動検出部に検出された振動に基づいてマナーモードのオン／オフを切り換えてもよい。
【００２２】
例えばユーザが電車に乗車すると、携帯通信端末は電車の振動を受ける。かかる振動検出部の構成により、設定切換部は、電車やバス等に乗車した状態でワイシャツやズボンのポケットに入っていることをより確実に判断することができる。
【００２３】
設定切換部は、姿勢検出部に検出された姿勢に加え、携帯通信端末の使用状態に基づいてマナーモードのオン／オフを切り換えてもよい。
【００２４】
かかる設定切換部によって、携帯通信端末は、例えば、マナーモードをオンに切り換えるべき姿勢であっても、ゲームを操作しているときはマナーモードをオフに維持することができる。従って複数の条件の組み合わせからマナーモードのオン／オフを設定することができる。
【００２５】
設定切換部は、さらに、当該携帯通信端末が所定の充電器に嵌着されていることを判断してマナーモードのオン／オフを切り換えてもよい。
【００２６】
睡眠時に携帯通信端末の充電を行う場合、携帯通信端末の着信音で睡眠を妨げられることがある。携帯通信端末の充電時にマナーモードをオンにする構成により、睡眠が妨げられることなく、快眠を得ることができる。
【００２７】
設定切換部がマナーモードをオンする姿勢を任意に設定させる姿勢設定部をさらに備えてもよい。
【００２８】
かかる姿勢設定部により、ユーザはマナーモードをオンにしたい所望する角度を個々に設定することができる。
【００２９】
設定切換部によってマナーモードのオン／オフが切り換わったとき、ユーザにその旨報知する切換報知部をさらに備えてもよい。
【００３０】
かかる切換報知部は、ユーザにマナーモードのオン／オフの切り換わりが行われたことを報知する。従ってユーザは、マナーモードのオン／オフのいずれかの状態であるかを容易に認識することができる。
【００３１】
所定時間内の突発的な姿勢変更を無視する時間遅延部をさらに備えてもよい。
【００３２】
設定切換部は、マナーモードのオン／オフを切り換えるべき携帯通信端末の姿勢が短時間でも検出されればマナーモードのオン／オフを切り換えようとする。しかし、その携帯通信端末の姿勢の変化が突発的な場合、直ぐに元の姿勢に戻って、マナーモードの切換が煩雑に行われる。そこで、時間遅延部は、マナーモードのオン／オフに設定された姿勢と一時的に合致したと設定切換部が判断しても直ぐにマナーモードの設定の変更を行わず、所定時間姿勢が維持されたときに姿勢が変更していると判断する。こうして、携帯通信端末が不要な処理を繰り返すことなくマナーモードのオン／オフが設定される。
【発明の効果】
【００３３】
以上説明したように本発明では、マナーモードへの変更のし忘れやマナーモードへの変更の煩わしさをなくし、自動的にマナーモードのオン／オフを切り換えることが可能となる。
【発明を実施するための最良の形態】
【００３４】
以下に図面を参照しながら、本発明の好適な実施の形態について詳細に説明する。なお、本明細書及び図面において、実質的に同一の機能構成を有する構成要素については、同一の符号を付することにより重複説明を省略する。
【００３５】
本実施形態の携帯通信端末では、当該携帯通信端末の姿勢によってマナーモードのオン／オフを自動的に切り換えることが可能となる。マナーモードとしては、着信時に音を鳴らさずにバイブレータで振動を発する消音モード、自動車の運転中に留守状態にするドライブモード、または電波の送受信を停止してカメラや内蔵ゲームのみを使えるようにするセルフモード等が挙げられる。本実施形態の携帯通信端末としては、ＰＨＳや携帯電話、ＰＤＡ等が挙げられるが、ここでは、本実施形態の理解を容易にするため、ＰＨＳ端末を例に挙げて説明する。以下、まずはＰＨＳ端末の全体的な構成について説明し、その後に本実施形態にかかる詳細な構成について述べる。
【００３６】
図１は、ＰＨＳ端末１００の機能を示した機能ブロック図であり、図２はＰＨＳ端末１００の概略的な構成を説明するための外観斜視図である。かかるＰＨＳ端末１００は、端末制御部１１０と、端末メモリ１１２と、表示部１１４と、操作部１１６と、音声入力部１１８と、音声出力部１２０と、無線通信部１２２と、姿勢検出部１２４と、圧力検出部１２６と、振動検出部１２８と、設定切換部１３０と、姿勢設定部１３２と、切換報知部１３４と、時間遅延部１３６と、を含んで構成される。
【００３７】
上記端末制御部１１０は、中央処理装置（ＣＰＵ）を含む半導体集積回路によりＰＨＳ端末１００全体を管理および制御する。また、端末制御部１１０は、端末メモリ１１２のプログラムを用いて、メール作成、Ｗｅｂ閲覧、音楽再生、ＴＶ視聴等さまざまな機能を遂行できる。
【００３８】
上記端末メモリ１１２は、ＲＯＭ、ＲＡＭ、ＥＥＰＲＯＭ、不揮発性ＲＡＭ、フラッシュメモリ、ＨＤＤ（Hard Disk Drive）等で構成され、端末制御部１１０で処理されるプログラムや音声データ等を記憶する。
【００３９】
上記表示部１１４は、第一筐体１６０に設けられ、液晶ディスプレイ、ＥＬ（Electro Luminescence）、ＰＤＰ（Plasma Display Panel）等で構成され、端末メモリ１１２に記憶された、または通信網を介してアプリケーション中継サーバ（図示せず）から提供される、ＷｅｂブラウザやアプリケーションのＧＵＩ（Graphical User Interface）を表示することができる。
【００４０】
上記操作部１１６は、主として第二筐体１６２に設けられた、キーボード、十字キー、ジョイスティック等の操作キーから構成され、ユーザの操作入力を受け付ける。
【００４１】
上記音声入力部１１８は、第二筐体１６２においてマイク等の音声認識装置で構成され、通話時に入力されたユーザの音声をＰＨＳ端末１００内で処理可能な電気信号に変換する。
【００４２】
上記音声出力部１２０は、第一筐体１６０においてスピーカで構成され、ＰＨＳ端末１００で受信した通話相手の音声信号を音声に変えて出力する。また、着信音や操作部１１６による操作音、アラーム音等も出力できる。
【００４３】
上記無線通信部１２２は、ＰＨＳ端末網における基地局２００と無線通信を行う。かかる無線通信としては、基地局２００内でフレームを時分割した複数のタイムスロットをそれぞれＰＨＳ端末１００のチャネルに割り当てて通信を行う時分割多重方式等がある。
【００４４】
上記姿勢検出部１２４は、ＰＨＳ端末１００の姿勢（角度、傾き）を検出する。例えば、ＰＨＳ端末１００に加速度センサが設けられている場合、重力が働いている方向を検出して鉛直方向からの姿勢を計算する。加速度センサを用いることでＰＨＳ端末１００の角度をリニアに検出することができる。
【００４５】
上記圧力検出部１２６は、ＰＨＳ端末１００へ加えられている外部からの圧力を検出する圧力センサで構成される。かかる圧力センサとしては、ゲージ抵抗に圧力を加えるとその圧力のたわみに応じゲージ抵抗が変化し電気信号として変換される半導体式圧力センサ等がある。また、変位量を通じて圧力を検出する変位センサ（距離センサ、プッシュスイッチ）で代用することも可能である。
【００４６】
上記振動検出部１２８は、外部からＰＨＳ端末１００へ与えられている振動を検出する振動センサで構成される。かかる振動センサとしては、シリコンチップの上にピエゾ抵抗でブリッジを構成し、外部から受ける振動による抵抗変化を電気信号として出力するピエゾ抵抗式振動センサ等がある。また、姿勢検出部１２４として機能する加速度センサでも振動を検出することができる。
【００４７】
上記設定切換部１３０は、姿勢検出部１２４で検出された姿勢が、所定の範囲に合致していればマナーモードのオン／オフを切り換える。また、かかる設定切換部１３０は、姿勢検出部１２４で検出された姿勢に加えて、圧力検出部１２６で検出された圧力や振動検出部１２８で検出された振動との組み合わせによりマナーモードのオン／オフを切り換えることもできる。この組み合わせの詳細については後述する。
【００４８】
上記姿勢設定部１３２は、マナーモードを設定切替部１３０がオンする姿勢や姿勢の範囲をユーザに任意に設定させる。かかる姿勢設定部１３２の設定がなされれば、設定切換部１３０はその設定された姿勢または姿勢の範囲でマナーモードのオン／オフの切り換えを行う。かかる姿勢設定部１３２により、ユーザはマナーモードをオンにしたい所望する角度を個々に設定することができる。
【００４９】
上記切換報知部１３４は、設定切換部１３０によってマナーモードのオン／オフの切り換えが行われると、切り換わったことを音声出力部１２０のスピーカ、表示部１１４の画面、バイブレータ等を通じてユーザに報知する。
【００５０】
上記時間遅延部１３６は、ＰＨＳ端末１００の姿勢が突発的に変化した場合に、その姿勢変更を無視するために用いられる。設定切換部１３０は、マナーモードのオン／オフを切り換えるＰＨＳ端末１００の姿勢が短時間でも検出されればマナーモードのオン／オフを切り換えようとする。しかし、そのＰＨＳ端末１００の姿勢の変化が突発的な場合、直ぐに元の姿勢に戻って、マナーモードの切換が煩雑に行われる。そこで、時間遅延部１３６は、マナーモードのオン／オフに設定された姿勢と一時的に合致したと設定切換部１３０が判断しても直ぐにマナーモードの設定の変更を行わず、所定時間、例えば１０秒間姿勢が維持されたときに姿勢が変更していると判断する。こうして、ＰＨＳ端末１００が不要な処理を繰り返すことなくマナーモードのオン／オフが設定される。
【００５１】
以上説明したように、ＰＨＳ端末１００は、姿勢に応じてマナーモードのオン／オフを自動的に切り換えることができる。かかるマナーモードの切換は、姿勢のみならず、ＰＨＳ端末１００に加えられる圧力や振動といった判断基準を用いて行うこともできる。以下にＰＨＳ端末１００のマナーモードのオン／オフの切り換えについて詳細に説明する。
【００５２】
図３は、ＰＨＳ端末１００のマナーモードへの移行を説明するための外観図である。図３（ａ）に示すように、例えばＰＨＳ端末１００の長手方向は、鞄２４０のポケット２５０において垂直方向（縦方向）の姿勢を維持している。かかるＰＨＳ端末１００の姿勢検出部１２４は、当該ＰＨＳ端末１００の姿勢を検出し、設定切換部１３０は、ＰＨＳ端末１００の姿勢が垂直方向にあるときマナーモードをオンにし、垂直方向以外のときはマナーモードをオフにする。また、自動的な切り換えのみならず、例えばユーザが意図的にマナーモードをオンにした場合、意図的にオフにしない限りマナーモードのオン状態を維持する形態をとることもできる。
【００５３】
また、図３（ｂ）および図３（ｃ）のＰＨＳ端末１００の側面図に示すように、ＰＨＳ端末１００の長手方向は、鉛直線（垂直方向の軸）に対して傾きが約３０°となるまでの姿勢の範囲を本実施形態における垂直方向と判断する。このような垂直方向として許容する角度を設けることで、設定切換部１３０は、ＰＨＳ端末１００の傾き約３０°以内の揺れ、例えば、お辞儀による揺れであればマナーモードをオンの状態に保つことができる。
【００５４】
さらに、図３（ａ）に示すように、例えばＰＨＳ端末１００を鞄２４０のポケット２５０に挿入したままでユーザが外出すると、歩行や電車の振動が鞄２４０を通じてＰＨＳ端末１００に与えられる。その与えられた振動を振動検出部１２８が検出し、その振動と上述した姿勢との両条件によりマナーモードをオンすれば、鞄２４０のポケット２５０に入っていることをより確実に判断することができる。
【００５５】
また、ＰＨＳ端末１００は、鞄２４０のポケット２５０、ワイシャツまたはズボンのポケット等に挿入されれば、外部から圧力が加えられる。かかるＰＨＳ端末１００に加えられる圧力を利用してＰＨＳ端末１００の状態を検出する構成について以下に説明する。
【００５６】
例えば図４は、ＰＨＳ端末１００に圧力検出部１２６を配した外観図である。図4に示すＰＨＳ端末１００は、通常第一筐体１６０と第二筐体１６２が向き合い、折り畳まれた姿勢で鞄２４０のポケット２５０や、ワイシャツやズボンのポケットに挿入される。ここで、圧力検出部１２６に設けられている圧力センサ（図示せず）は、一方を緩衝部材に他方を第二筐体部１６２に固定され、緩衝部材を介して加えられた圧力を検出する。圧力検出部１２６はＰＨＳ端末１００を折り畳んだとき第一筐体１６０と接触し、第一筐体１６０と第二筐体１６２とに加わる外圧を検出することができる。圧力を検出し、その圧力と上述した姿勢との両条件によりマナーモードをオンすれば、鞄２４０のポケット２５０や、ワイシャツやズボンのポケットに入っていることをより確実に判断することができる。
【００５７】
ここで、圧力検出部１２６は、ＰＨＳ端末１００を折り畳むときや電車の乗降時等に突発的に高い圧力を受けることがある。設定切替部１３０は、所定圧力の検出が短時間のみであれば、その圧力を無視し、マナーモードの切換を行わない。
【００５８】
さらに、マナーモードのオン／オフが、例えばＰＨＳ端末１００の姿勢かつＰＨＳ端末１００への振動および圧力を検出した結果の組合せによっても切り換えられる。
【００５９】
また、設定切換部１３０は、検出された姿勢に加え、ＰＨＳ端末１００の使用状態に基づいてマナーモードのオン／オフを切り換えることもできる。
【００６０】
かかる設定切換部１３０によって、ＰＨＳ端末１００は、例えば、マナーモードをオンに切り換えるべき姿勢であっても、ゲーム等を操作している使用状態ではマナーモードをオフに維持することができる。ゲームは通常ＰＨＳ端末１００を縦にして遂行されるが、ゲーム遂行時に意図せずマナーモードに切り替わってしまうのを防ぐためである。こうして、複数の条件の組み合わせからマナーモードのオン／オフを設定することができる。
【００６１】
次に、ＰＨＳ端末１００の充電時におけるマナーモードへの移行を説明する。図５は、ＰＨＳ端末１００を充電器２６０に嵌着した外観図である。
【００６２】
ＰＨＳ端末１００を所定時間使用しない状態として、例えば睡眠時が挙げられる。通常、ユーザはその睡眠時間を利用してＰＨＳ端末１００の充電を行う。例えば、睡眠前に、ＰＨＳ端末１００を図５に示すように充電器２６０へ嵌着すれば、起床のときには充電が完了している。
【００６３】
しかし、充電器２６０に嵌着するＰＨＳ端末１００の姿勢において、マナーモードをオンする姿勢でなければ、ＰＨＳ端末１００に着信があると、その着信音によって睡眠が妨げられる虞がある。そこで、充電器２６０に嵌着したＰＨＳ端末１００を、ＰＨＳ端末１００の姿勢、ＰＨＳ端末１００への圧力およびＰＨＳ端末１００への振動に関係なく、マナーモードオンに設定することで、睡眠が妨げられることなく、快眠を得ることができる。
【００６４】
また、充電の形態としては、上述したように充電器２６０に嵌着する形態のみならず、コネクタを通じて充電ケーブルからの電力を受電する形態等様々な形態を用いることができる。かかる他の形態においても、ＰＨＳ端末１００は、充電が可能な状態であることを把握し、自動的にマナーモードをオンに切り換えることができる。
【００６５】
上述した実施形態においては、姿勢検出部１２４として加速度センサを用いているが、かかる場合に限らず、他の機構を姿勢検出部として用いることもできる。以下にＰＨＳ端末１００が垂直方向にあることを検出する姿勢検出部の他の例を説明する。
【００６６】
図６は、姿勢検出部の他の例を説明するための説明図である。姿勢検出部３００は、図６（ａ）に示すように、同一な２つの円錐を互いの底辺で合わせた形状を有する。図６（ａ）のＡ−Ａ縦断面図を図６（ｂ）および図６（ｃ）に示す。第一電極部３１０、第二電極部３１２およびに第三電極部３１４は、それぞれ金属で構成される。姿勢検出部３００の内側の各電極部３１０、３１２、３１４は、錆びを防ぐためにめっき処理を施してもよい。各電極部３１０、３１２、３１４は、図６（ｂ）に示すよう互いに接しないよう離間されている。姿勢検出部３００の中には、水銀等の電気を通す液体金属３２０が封入されている。
【００６７】
第一電極部３１０、第二電極部３１２および第三電極部３１４の各電極が液体金属３２０を介して他の電極と通電すると、第一電流検出器３３０または第二電流検出器３３２に電流が流れ、姿勢検出部３００はＰＨＳ端末１００の姿勢を把握できる。以下、詳細に説明する。
【００６８】
姿勢検出部３００に封入されている液体金属３２０は、重力を受けて移動する。液体金属３２０は、比重が低く電気を通さない液体と一緒に封入されている。ＰＨＳ端末１００の姿勢を例えば垂直方向と、図６（ｃ）に示すように、液体金属３２０は、重力によって鉛直下向きに落下する。落下した液体金属３２０は、第一電極部３１０と第二電極部３１２の間にある切れ目に入ったり、第一電極部３１０と第二電極部３１２の表面に接触したりして、それらの電気的な接続を助ける。第一電極部３１０と第二電極部３１２が電気的に接触すると第一電流検出器３３０に電流が流れる。第一電流検出器３３０へ電流が流れると、姿勢検出部３００は、ＰＨＳ端末１００の姿勢が垂直方向にあることを把握する。このように、姿勢検出部３００は、重力を利用することによって効率よく垂直方向の姿勢を検出することができる。
【００６９】
また、かかるＰＨＳ端末１００を傾けると、姿勢検出部３００に封入されている液体金属３２０は、重力に応じて一方に変位する。この傾きが大きくなると、第一電極部３１０に接触していた液体３２０が、第二電極部３１２の方向へ移動する。第一電極部３１０と第二電極部３１２の間にあった液体金属３２０も第二電極部３１２へ移動し、電気的な接続がなくなる。そして姿勢検出部３００は、第二電極部３１２と第三電極部３１４の間にある切れ目に液体金属３２０が入り、第二電極部３１２と第三電極部３１４が電気的に接続され、第二電流検出器３３２に流れる電流を検出する。
【００７０】
このようにマナーモードのオン／オフが切り換えられたとき、ユーザによっては現在のマナーモードの状態を知りたいという要望がある。そこで、本実施形態のＰＨＳ端末１００は、マナーモードのオン／オフの切り換えを切換報知部１３４によって報知する。この報知について以下に説明する。
【００７１】
図７は、マナーモードのオン／オフの切り換わりを説明する外観図である。設定切換部１３０は、姿勢検出部１２４から検出された結果に応じてマナーモードのオン／オフを切り換える。しかし、ユーザは、マナーモードのオン／オフの切り換えは自動的に設定されるので、マナーモードのオン／オフの切り換えに気づかないこともある。そこで、マナーモードのオン／オフの切り換えを報知する切換報知部１３４を設けることで、マナーモードのオン／オフの切り換えのあったことをユーザに認識させる。
【００７２】
切換報知部１３４は、図７に示した発光部３５０を介して光の点滅を行いマナーモードの切換を報知する。また、音声出力部１２０のスピーカから音を発したり、ＰＨＳ端末１００に設けられたバイブレーション機能を使用したり、表示部１１４に文字を表示したりして、マナーモードへの切換を報知することもできる。これら報知する機能を１つもしくは複数組み合わせて使用することもできる。
【００７３】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７４】
本発明は、マナーモード機能を有する携帯通信端末に利用することができる。
【図面の簡単な説明】
【００７５】
【図１】本実施形態におけるＰＨＳ端末の機能を示した機能ブロック図である。
【図２】本実施形態におけるＰＨＳ端末の概略的な構成を説明するための外観斜視図である。
【図３】本実施形態におけるＰＨＳ端末のマナーモードへの移行を説明するための外観図である。
【図４】本実施形態におけるＰＨＳ端末に圧力検出部を配した外観図である。
【図５】本実施形態におけるＰＨＳ端末を充電器に嵌着した外観図である。
【図６】本実施形態における姿勢検出部の他の例を説明するための説明図である
【図７】本実施形態におけるマナーモードのオン／オフの切り換わりを説明する外観図である。
【符号の説明】
【００７６】
１００  …ＰＨＳ端末
１２４、３００  …姿勢検出部
１２６  …圧力検出部
１２８  …振動検出部
１３０  …設定切換部
１３２  …姿勢設定部
１３４  …切換報知部
１３６  …時間遅延部
２６０  …充電器
３１０  …第一電極部
３１２  …第二電極部
３１４  …第三電極部
３２０  …液体金属
３５０  …発光部
【図１】
2009130653.tif 000003
【図２】
2009130653.tif 000004
【図３】
2009130653.tif 000005
【図４】
2009130653.tif 000006
【図５】
2009130653.tif 000007
【図６】
2009130653.tif 000008
【図７】
2009130653.tif 000009